(57)【要約】【課題】本発明は、ルーズリーフバインダーを用いて左ページのリング寄りに文字を書く際にリングが右手に当たり書きづらいという問題を解決すると共に、ルーズリーフの取り付け取り外しを容易にし、さらに不用意にルーズリーフが外れないような使い勝手の良いルーズリーフバインダーを実現することが課題である。【解決手段】ルーズリーフを取り付けるリングを起立状態から傾倒状態に倒すことができるようにするとともに、ストッパを備えて起立状態及び傾倒状態で固定できるようにした。また、リングを取り付ける２個のベースプレートを左右に向き合わせ、これらに蝶番を取り付けてそれぞれ固定基盤に連結し、観音開きで開け閉めしてルーズリーフを取り付け取り外しできるようにした。また、ベースプレートを閉じたときにはフックで二つのベースプレートをしっかりと相互に固定できるようにした。【選択図】図２
2010131807.tif 000002
【特許請求の範囲】
【請求項１】
複数のリングを備え、ルーズリーフの取り付け取り外しを可能にしたルーズリーフバインダーにおいて、
円弧部と直軸部と起立部とからなる複数のリングと、前記リングの直軸部が挿入される凹部を備える2個のベースプレートと、前記2個のベースプレートを蝶番を介して連結するための固定基盤とから構成され、前記複数のリングが前記ベースプレートの凹部において前記直軸部を中心に回転可能であることを特徴とするルーズリーフバインダー。
【請求項２】
ベースプレートが複数のリングの起立部の左右両側面を拘束するためのストッパを備え、かつ、前記複数のリングが前記ベースプレートの凹部において前記リングの直軸部を中心に回転する場合には、前記起立部がストッパを乗り越えることを特徴とする請求項１記載のルーズリーフバインダー。
【請求項３】
ストッパを半球の凸型形状にし、リングを弾性体とした請求項1及び２記載のルーズリーフバインダー。
【請求項４】
ベースプレートにフックとフックを引っ掛け、固定する突起部とを備えた請求項1、2、及び３記載のルーズリーフバインダー。
【発明の詳細な説明】
【技術分野】
【０００１】
本発明はルーズリーフバインダーに関する。
【背景技術】
【０００２】
従来、ルーズリーフバインダーを用いて左ページのリング寄りに文字を書く際にリングに右手が当たり書きづらいという問題を解決するとともに、ルーズリーフの取り付け取り外しを可能にするために、「ベースプレートに一体的に接合されたカバープレートと、このカバープレートの両側辺端部に形成された複数個の係合切欠部を介してそれぞれ取り外し可能に係合し、かつ、少なくとも起立状態から傾倒状態に倒れる複数個の係合リングから成るリング式バインダー」（特許文献１参照）がある。また、特許文献１と同様に、リングを取り外し可能にするとともに、リングを起立状態から傾倒状態に倒すことができるバインダー（特許文献２、特許文献３参照）がある。また、「リングを形状記憶合金にして手の当たるリング部分を押しつぶし、リング寄りでも文字を書きやすくしたもの」（特許文献４参照）もある。さらに、「リングの一部分を開口し、その一方の先端部分を直軸の形状にし、一方、ベースプレートに複数個の穴を開け、それらの穴に前記リングの直軸の部分を挿入し、リングを起立状態から傾倒状態に倒すことができるようにすると同時に、リングを取り付けたベースプレートをリングの周方向に回転させ、リングの開口部を利用してルーズリーフの取り付け取り外しをできるようにした」（特許文献５参照）ものもある。また、従来、ルーズリーフの取り付け取り外しを可能にするにはいろいろな方法があり、本発明に係る方法として、「簡単な構成により片手によるワンタッチ操作を可能としたリングとじ具」（特許文献６参照）がある。
【０００３】
【特許文献１】特開２００３−８０８７８号
【特許文献２】実願昭６０−１５２７８７
【特許文献３】実願昭６１−０２７０１９
【特許文献４】特開平１１−３３４２６８号
【特許文献５】特開２００６−３２７０５７号
【特許文献６】特開平９−４８１９４号
【発明の開示】
【発明が解決しようとする課題】
【０００４】
特許文献１、２、及び３における、リングを取り外し可能にすると同時に、リングを起立状態から傾倒状態に倒すことができるようにしたリング式バインダーは、ルーズリーフを取り付け取り外しする際に、リングを一つずつ取り付け取り外ししなければならず、一般に多用されている２６穴のルーズリーフバインダーのように、リングの数が多くなると操作が面倒で時間がかかり実用的ではないという問題があった。また、特許文献４におけるリングを形状記憶合金にしたものは製作コストが高く、ルーズリーフバインダーに用いるには適さないという問題があった。さらに、特許文献５におけるものは、リングを開口し、その開口部を利用してルーズリーフの取り付け取り外しを可能にしようとしたために、その開口部から不用意にルーズリーフが外れてしまうという懸念があった。また、特許文献６における片手によるワンタッチ操作を可能としたものは、リングの開閉を片手によりワンタッチ操作で行うがために、リングが閉まった状態においてリングがしっかりと固定されず、やはりリングが不用意に開いてルーズリーフが外れてしまうという懸念があった。
【０００５】
本発明は、ルーズリーフバインダーを用いて左ページのリング寄りに文字を書く際にリングが右手に当たり書きづらいという問題を解決すると共に、複数の穴を持つルーズリーフの取り付け取り外しを容易にし、かつ、不用意にルーズリーフが外れてしまうという懸念もなく、使い勝手がよく、また、安価に製作できるようなルーズリーフバインダーを実現することが課題である。
【課題を解決するための手段】
【０００６】
本発明は上記課題を解決するために、円弧部と直軸部と起立部とからなる複数のリングと、前記リングの直軸部が挿入される凹部を備える2個のベースプレートと、前記2個のベースプレートを蝶番を介して連結するための固定基盤とから構成され、前記複数のリングが前記ベースプレートの凹部において前記直軸部を中心に回転可能にし、前記ベースプレートが前記複数のリングの起立部の左右両側面を拘束するためのストッパを有し、かつ、前記複数のリングが前記凹部を中心に回転する場合には、前記起立部が前記ストッパを乗り越えることを特徴とするルーズリーフバインダーとした。また、前記ベースプレートにフックとフックを引っ掛けて固定する突起部とを備え、相互に固定できるようにした。
すなわち、従来技術の特許文献３と同様に、リングを開口し、円弧部の一部分を直軸の形状にし、ベースプレートに回転可能に組み込み、リングを起立状態から傾倒状態に倒すことができるようにした。そのうえで、リングを起立状態及び傾倒状態で固定できるようにベースプレートにストッパを設けた。ストッパは凸型形状でリングを起立状態から倒そうとしたり、傾倒状態から起こそうとしたりしたときにはリングの弾力によりストッパを乗り越えられるようにした。次に、リングを回転可能に組み込んだベースプレートを二つ用意し、リングを向かい合わせるように組み合わせ、それぞれのベースプレートに蝶番を取り付け、固定基盤と連結し、観音開きで開閉できるようにし、リングの間隔を相互に離したり閉じたりすることによって、ルーズリーフの取り付け取り外しができるようにした。
そのうえで、リングを組み込んだ二つのベースプレートを閉じたときに、一方のベースプレートに備えたフックを他方のベースプレートに備えた突起部に引っ掛けて、相互にしっかりと固定し、二つのベースプレートが不用意に開かないようにした。また、この固定したフックを解除するときにはフックの先端を指で押し上げることで簡単に解除できるようにした。
【発明の効果】
【０００７】
複数のリングを回転可能に組み込んだ２個のベースプレートを相互に観音開きで開閉することにより、リングを起立状態から傾倒状態に倒すことができると同時に、ルーズリーフの取り付け取り外しが容易に出来るようになった。また、ストッパを備えたことにより、リングを起立状態及び傾倒状態で固定できるようになった。さらにまた、ベースプレートにフックを備えたことにより、２個のベースプレートが相互にしっかりと固定され、リングからルーズリーフが不用意に外れることがなくなった。以上によって、使い勝手がよく、また、プラスチック等の安価な材料で容易に製作できるルーズリーフバインダーが実現出来た。
【発明を実施するための最良の形態】
【０００８】
以下、本発明の実施の形態を実施例に基づき図１から図９を参照して説明する。図１はリング１が起立した状態の平面図（ａ）、正面図（ｂ）、側面図（ｃ）である。なお、リング１が組み込まれた左右二つのベースプレート２はそれぞれ全く同じ形状である。
【０００９】
図2はリング１を倒した状態の平面図（ａ）、正面図（ｂ）、側面図（ｃ）である。リング１は矢印で表したように前後に倒すことができる。
【００１０】
図3はリング１の正面図（ａ）及び側面図（ｂ）である。直軸部１ａと起立部１ｂとを備えていることが特徴である。直軸部１ａはベースプレート２に備えた凹部２ａに回転可能に組み込む部分であり、起立部１ｂはベースプレート２に備えたストッパ２ｂによって起立状態及び傾倒状態で固定される部分である。リング１をベースプレート２に組み込んだ状態は図５で示す。
【００１１】
図4はベースプレート２の平面図（ａ）、正面図（ｂ）、側面図（ｃ）である。凹部２ａは図３で示したリング１の直軸部１ａを組み込む部分である。ストッパ２ｂは半球の凸型形状になっており、リング１を回転させ、起立状態から倒そうとしたり、傾倒状態から起こそうとしたりしたときには、リング１の起立部１ｂがその弾力によりこれを乗り越えるが、リング１を回転させようとしない場合には、このストッパ２ｂにより、リング１が起立状態及び傾倒状態で固定できるようになっている。また、フック６は二つのベースプレートを相互に固定するものであり、これについては図８で説明する。
【００１２】
図５は図３で示したリング１の直軸部１ａを図４で示したベースプレート２の凹部２ａに組み込んだ状態を表した平面図（ａ）、正面図（ｂ）、側面図（ｃ）である。想像線で表したようにリング１を回転させ、倒そうとしたときにはリング１の起立部１ｂの弾力によりストッパ２ｂを乗り越えるため、起立状態から傾倒状態に倒すことができる。しかし、回転させようとしない場合にはストッパ２ｂに阻まれ、起立状態及び傾倒状態で固定できるようになる。
【００１３】
図６は図５を拡大した斜視図であり、ストッパ２ｂの部分を拡大して表した図である。
【００１４】
図７はリング１を組み込んだ左右二つのベースプレート２を観音開きで開いた状態の平面図（ａ）、正面図（ｂ）、側面図（ｃ）であり、ルーズリーフを取り付け取り外す時の状態を表した図である。ベースプレート２に蝶番３を取り付け、その連結部４を介して固定基盤５と連結している。リング１はベースプレート２の凹部２ａに組み込まれ、その上で蝶番３によって挟まれることにより回転可能に保持される。左右二つのベースプレート２を蝶番３とともに観音開きで開閉させることにより左右のリング１の間隔が開いたり閉じたりするようになる。
【００１５】
図８は図７を部分拡大した平面図（ａ）、正面図（ｂ）、側面図（ｃ）である。この図は左右二つのベースプレート２を蝶番３とともに観音開きで開いた状態の図であるが、閉じたときにはフック６の先端部６ａを突起部２ｃに引っ掛け、はめ込むことにより閉じた状態で固定されベースプレートが相互に不用意に開かないようになる。先端部６ａは凹型になっており、突起部２ｃは凸型になっており、フック６で他方のベースプレートを上からくるむようにして先端部６ａを突起部２ｃに引っ掛け、さらにフック６の弾力により先端部６ａの凹部が突起部２ｃの凸部にぴたりとはめ込まれて固定されるようになっている。また、先端部６ａを指先に引っ掛けて引き上げれば固定された状態を解除することができる。
【００１６】
図９は固定基盤５の平面図（ａ）と正面図（ｂ）である。穴７はネジあるいはリベット等でルーズリーフバインダーの背枠に固定基盤を締結する穴である。
【図面の簡単な説明】
【００１７】
【図１】リング１が起立した状態の平面図（ａ）、正面図（ｂ）、側面図（ｃ）
【図２】リング１を倒した状態の平面図（ａ）、正面図（ｂ）、側面図（ｃ）
【図３】リング１の正面図（ａ）及び側面図（ｂ）
【図４】ベースプレート２の平面図（ａ）、正面図（ｂ）、側面図（ｃ）
【図５】リング１をベースプレート２に組み込んだ状態を表した平面図（ａ）、正面図（ｂ）、側面図（ｃ）
【図６】図５を拡大した斜視図
【図７】リング１を組み込んだベースプレート２を観音開きで開いた状態の平面図（ａ）、正面図（ｂ）、側面図（ｃ）
【図８】図６を部分拡大した平面図（ａ）、正面図（ｂ）、側面図（ｃ）
【図９】固定基盤５の平面図（ａ）と正面図（ｂ）
【符号の説明】
【００１８】
１  リング
１ａ  リングの直軸部
１ｂ  リングの起立部
２  ベースプレート
２ａ  ベースプレートに備えたリングを組み込む凹部
２ｂ  ベースプレートに備えたストッパ
２ｃ  ベースプレートに備えた突起部
３  蝶番
４  蝶番の連結部
５  固定基盤
６  ベースプレートを相互に固定するフック
６ａ  フックの先端部
７  固定基盤をルーズリーフの背枠に固定する穴
【図１】
2010131807.tif 000003
【図２】
2010131807.tif 000004
【図３】
2010131807.tif 000005
【図４】
2010131807.tif 000006
【図５】
2010131807.tif 000007
【図６】
2010131807.tif 000008
【図７】
2010131807.tif 000009
【図８】
2010131807.tif 000010
【図９】
2010131807.tif 000011